(57)【特許請求の範囲】
【請求項１】
閉じ方向に傾斜するガイドレールに沿って開閉する自動閉鎖形の引戸と、該引戸を開放する際の操作力を軽減する補助機構とを備えてなり、該補助機構は、索状体を介して、前記引戸が閉じるに従って上昇し、開くに従って下降するウェイトを備え、前記索状体は、一端を前記引戸の後方に位置する固定部材に固定し、前記引戸に装着する補助ローラ、前記引戸の後方に位置するガイドローラに掛け、該ガイドローラから垂下する自由端に前記ウェイトを連結することにより前記引戸に装着する補助ローラが動滑車として作用し、前記引戸の開閉ストロークの全域に亘り、一定の補助力を前記引戸の開放方向に加えることを特徴とする引戸装置。
【請求項２】
閉じ方向に傾斜するガイドレールに沿って開閉する自動閉鎖形の引戸と、該引戸を開放する際の操作力を軽減する補助機構とを備えてなり、該補助機構は、索状体を介して、前記引戸が閉じるに従って上昇し、開くに従って下降するウェイトを備え、前記索状体は、一端を前記引戸の後方に位置する固定部材に固定し、前記引戸に装着する補助ローラ、前記引戸の後方に位置する補助ローラ、前記引戸に装着するガイドローラに掛け、該ガイドローラから垂下する自由端に前記ウェイトを連結することにより前記引戸に装着する補助ローラが動滑車として作用し、前記引戸の開閉ストロークの全域に亘り、一定の補助力を前記引戸の開放方向に加えることを特徴とする引戸装置。
【請求項３】
前記ウェイトは、前記引戸に収納することを特徴とする請求項２記載の引戸装置。
【請求項４】
前記索状体の水平部分は、前記ガイドレールと平行に保つことを特徴とする請求項１ないし請求項３のいずれか記載の引戸装置。
【発明の詳細な説明】
【０００１】
【発明の属する技術分野】
この発明は、自動閉鎖形の引戸の開放方向の操作力を軽減し、軽快に開操作することができる引戸装置に関する。
【０００２】
【従来の技術】
建築物の出入口等の開口部には、開口部を自動的に閉じる自動閉鎖形の引戸を設置することがある。
【０００３】
従来の自動閉鎖形の引戸は、たとえば開口部の上部に閉じ方向に傾斜するガイドレールを取り付け、ガイドレールに開閉自在に吊下する吊戸形式に構成されている。そこで、このものは、開放方向に操作すると、ガイドレールの傾斜により自動的に閉じることができる。
【０００４】
【発明が解決しようとする課題】
かかる従来技術によるときは、引戸は、ガイドレールの傾斜方向と逆方向に開放しなければならないため、自重が大きいと開放時に必要な操作力が過大となり、使い勝手がよくないという問題があった。
【０００５】
そこで、この発明の目的は、かかる従来技術の問題に鑑み、一定の補助力を引戸の開放方向に加える補助機構を設けることによって、開放時の操作力を小さくし、使い勝手を向上させることができる引戸装置を提供することにある。
【０００６】
【課題を解決するための手段】
かかる目的を達成するための請求項１の発明の構成は、閉じ方向に傾斜するガイドレールに沿って開閉する自動閉鎖形の引戸と、引戸を開放する際の操作力を軽減する補助機構とを備えてなり、補助機構は、索状体を介して、引戸が閉じるに従って上昇し、開くに従って下降するウェイトを備え、索状体は、一端を引戸の後方に位置する固定部材に固定し、引戸に装着する補助ローラ、引戸の後方に位置するガイドローラに掛け、ガイドローラから垂下する自由端にウェイトを連結することにより引戸に装着する補助ローラが動滑車として作用し、引戸の開閉ストロークの全域に亘り、一定の補助力を引戸の開放方向に加えることをその要旨とする。
【０００７】
請求項２の発明の構成は、閉じ方向に傾斜するガイドレールに沿って開閉する自動閉鎖形の引戸と、引戸を開放する際の操作力を軽減する補助機構とを備えてなり、補助機構は、索状体を介して、引戸が閉じるに従って上昇し、開くに従って下降するウェイトを備え、索状体は、一端を引戸の後方に位置する固定部材に固定し、引戸に装着する補助ローラ、引戸の後方に位置する補助ローラ、引戸に装着するガイドローラに掛け、ガイドローラから垂下する自由端にウェイトを連結することにより引戸に装着する補助ローラが動滑車として作用し、引戸の開閉ストロークの全域に亘り、一定の補助力を引戸の開放方向に加えることをその要旨とする。なお、ウェイトは、引戸に収納することができる。
【０００８】
また、索状体の水平部分は、ガイドレールと平行に保つことができる。
【０００９】
【作用】
かかる発明の構成によるときは、補助機構は、引戸の開放方向に一定の補助力を加え、引戸を開放する際の操作力を小さくすることができる。また、引戸は、閉じ方向に傾斜するガイドレールに沿って自動的に閉じることができる。ただし、補助機構による補助力は、ガイドレールの傾斜により引戸に加わる閉じ方向の力より僅かに小さくなるように、しかも引戸の開閉ストロークの全域に亘って実質的に一定となるように、適切に設定するものとする。
【００１０】
補助機構は、引戸の開閉に従って昇降するウェイトを利用することにより、一定の補助力を容易に実現することができる。なお、ウェイトは、ワイヤロープ、ロープ、チェーン、鋼線、鋼帯等の屈曲可能な索状体を介して吊下するものとする。
【００１１】
ウェイトを引戸に収納すれば、引戸の後方に格別なウェイト用の収納スペースを設ける必要がなく、全体のスペース効率を向上させて良好な外観を得ることができる。
【００１３】
【発明の実施の形態】
以下、図面を以って発明の実施の形態を説明する。
【００１４】
引戸装置は、ガイドレール１１に沿って開閉する引戸２１と、補助機構３０とを備えてなる（図１、図２）。
【００１５】
ガイドレール１１、引戸２１は、壁ＷＬの開口部に設けられている。壁ＷＬの開口部には、門形の戸枠４１が組み込まれ、引戸２１は、戸袋用のパネル４５、４５、上部の補助パネル４６、４６とともに壁ＷＬの開口部を閉じることができる。すなわち、戸袋用のパネル４５、４５の間には、開放時の引戸２１を収納することができ、上部の補助パネル４６、４６は、パネル４５、４５とともにガイドレール１１を隠蔽している。
【００１６】
ガイドレール１１は、戸枠４１の上部に架設するレールベース１２を介して支持されている。なお、ガイドレール１１は、引戸２１の戸先側に向けて低くなるように、引戸２１の閉じ方向に傾斜して設置されている。引戸２１の上部には、ブラケット２２ａ、２２ａを介し、ガイドレール１１上を転動する戸車２２、２２が装着されており、引戸２１の戸先側には、把手２１ｂが両面に付設されている。また、引戸２１の下部は、床Ｆに立設する下部ガイドローラＦa に係合して前後動自在に拘束されており、戸枠４１の後部には、戸当り４２が付設されている。そこで、引戸２１は、把手２１ｂを介して開操作すると（図１の矢印Ｋ1 方向）、戸車２２、２２を介し、閉じ位置（同図の実線）から開き位置（同図の二点鎖線）までガイドレール１１に沿って後方に横移動し、壁ＷＬの開口部を開くことができ、開操作を中止すると、ガイドレール１１の傾斜により閉じ方向に横移動して壁ＷＬの開口部を閉じることができる。
【００１７】
補助機構３０は、引戸２１上のガイドローラ３１にロープ３２を掛け、ガイドローラ３１から垂下するロープ３２の自由端にウェイト３３を吊下して形成されている。ガイドローラ３１は、引戸２１の上部戸尻側に装着されており、ロープ３２の一端は、ブラケット３２ａを介し、開き位置にある引戸２１上のガイドローラ３１より後方となるように、ガイドレール１１の後端に固定されている。ただし、ガイドローラ３１、ブラケット３２ａは、ガイドローラ３１からブラケット３２ａに至るロープ３２の水平部分が常にガイドレール１１と平行になるような相対高さに設定されているものとする。また、ウェイト３３は、引戸２１内に収納されており、引戸２１の開閉に従って引戸２１内を昇降する。
【００１８】
補助機構３０は、ウェイト３３の自重によりロープ３２の張力が一定となり、しかも、ロープ３２の水平部分がガイドレール１１と平行に保たれることにより、引戸２１の開閉ストロークＳの全域に亘り、ガイドローラ３１を介して一定の補助力を引戸２１の開放方向に加えることができる。したがって、引戸２１は、補助機構３０による開放方向の補助力を利用することにより、小さい操作力によって開操作することができ、補助機構３０は、引戸２１を開放する際の操作力を軽減することができる。
【００１９】
また、引戸２１は、開放方向の操作力が消失すると、補助機構３０による開放方向の補助力に抗するようにして、ガイドレール１１の傾斜によって閉じ方向の力が作用し、自動的に閉じることができる。なお、補助機構３０の開放方向の補助力は、引戸２１の自重やガイドレール１１の傾斜、戸車２２、２２の走行抵抗等によって定まる引戸２１の閉じ方向の力より僅かに小さく設定するものとする。
【００２０】
以上の説明において、ロープ３２の水平部分は、必ずしもガイドレール１１と平行にする必要がない。このとき、補助機構３０による補助力は、引戸２１が横移動するに従って僅かに変動する可能性があるが、それを実質的に一定とみなすことができれば十分である。また、ロープ３２は、ガイドレール１１の後端に代えて、壁ＷＬまたは戸枠４１に一端を固定してもよい。
【００２１】
【他の実施の形態】
補助機構３０のガイドローラ３１は、引戸２１の上部の任意の位置に装着してもよい（図３）。このときのロープ３２の一端は、開き位置の引戸２１上のガイドローラ３１より後方であれば、任意の位置に固定してよい。すなわち、ガイドローラ３１は、引戸２１の前部に装着することも可能である。
【００２２】
補助機構３０のロープ３２は、引戸２１上の補助ローラ３４、引戸２１の後方のガイドローラ３１に掛け、ガイドローラ３１から垂下する自由端にウェイト３３を連結してもよい（図４）。なお、ガイドローラ３１は、ブラケット３１ａを介してガイドレール１１の後端に装着されている。補助ローラ３４が動滑車として作用し、ウェイト３３の自重を小さくすることができる。
【００２３】
補助機構３０は、ロープ３２の一端を引戸２１に固定してもよい（図５）。ロープ３２の一端は、引戸２１の戸尻側の金具２１ｄに連結され、引戸２１の後方のガイドローラ３１から垂下するロープ３２の自由端には、ウェイト３３が連結されている。
【００２４】
補助機構３０は、ロープ３２を介し、ウェイト３３による開放方向の補助力を引戸２１に加えることができる。また、ウェイト３３は、引戸２１の開閉に従い、ガイドローラ３１の下方において上下に昇降する（同図の実線、二点鎖線）。なお、図５において、ロープ３２の一端を引戸２１の中間部または戸先側に固定してもよく、このときのガイドローラ３１は、開き位置における引戸２１上のロープ３２の固定位置より後方に配置すればよい。
【００２５】
ウェイト３３は、引戸２１に収納してもよい（図６）。ロープ３２は、一端を引戸２１に固定し、引戸２１の後方の補助ローラ３４、引戸２１上のガイドローラ３１に掛け、ガイドローラ３１から垂下する自由端にウェイト３３が連結されている。ウェイト３３は、引戸２１の開閉に従って引戸２１内を昇降する（同図の実線、二点鎖線）。
【００２６】
補助機構３０は、うず巻きばね３５を利用してもよい（図７）。うず巻きばね３５は、ガイドレール１１の後端に設置されており、先端が引戸２１上の金具２１ｄに固定されている。そこで、うず巻きばね３５は、引戸２１の開閉に従って伸縮し、引戸２１の開閉ストロークＳの全域に亘って引戸２１を後向きに付勢することにより、引戸２１の開放方向に実質的に一定の補助力を加えることができる。なお、うず巻きばね３５は、引戸２１に搭載し、先端を引戸２１の後方のガイドレール１１や戸枠４１、壁ＷＬ等に固定してもよい。
【００２７】
引戸２１は、吊戸形式に代えて、床Ｆ側のガイドレール１５上に開閉自在に設置してもよい（図８）。ガイドレール１５は、引戸２１の閉じ方向に上面が傾斜しており、ブラケット２３ａ、２３ａ、戸車２３、２３を介して引戸２１を開閉自在に支持している。なお、引戸２１の上部は、戸枠４１の上部に付設するガイド板４７、４７を介してガイドされている。また、戸枠４１の後部には、戸当りを兼ねる仕切板４１ｂを介してウェイト３３用の収納スペース４１ａが形成されている。
【００２８】
ロープ３２は、一端を引戸２１の戸尻側の下部に固定し、収納スペース４１ａの下部の補助ローラ３４、上部のガイドローラ３１を経て、ガイドローラ３１から垂下する自由端にウェイト３３が連結されている。なお、ロープ３２は、開口４１ｂ1 を介して仕切板４１ｂを前後に貫通している。補助機構３０は、ウェイト３３による開放方向の補助力を引戸２１に加えることができる。なお、図８のガイドレール１５は、床Ｆに埋設してもよい。
【００２９】
以上の説明において、図４の補助機構３０は、図６に倣って、ウェイト３３を引戸２１に収納してもよい。すなわち、図４において、引戸２１の後方のガイドローラ３１を補助ローラ３４に変更し、補助ローラ３４からのロープ３２は、引戸２１上のガイドローラ３１を介して垂下させる自由端にウェイト３３を連結すればよい。
【００３０】
【発明の効果】
以上説明したように、この発明によれば、ガイドレールに沿って開閉する自動閉鎖形の引戸に補助機構を組み合わせることによって、補助機構は、引戸の開閉ストロークの全域に亘り一定の補助力を引戸の開放方向に加え、引戸を開放する際の操作力を軽減することができるから、引戸の自重が大きくても、開放時の操作力を十分小さくして引戸を軽快に開操作することができ、使い勝手を大きく向上させることができるという優れた効果がある。
【図面の簡単な説明】
【図１】  全体構成正面図
【図２】  図１のＸ−Ｘ線矢視相当断面図
【図３】  他の実施の形態を示す要部模式説明図（１）
【図４】  他の実施の形態を示す要部模式説明図（２）
【図５】  他の実施の形態を示す要部模式説明図（３）
【図６】  他の実施の形態を示す要部模式説明図（４）
【図７】  他の実施の形態を示す要部模式説明図（５）
【図８】  他の実施の形態を示す図１相当図
【符号の説明】
Ｓ…開閉ストローク
１１…ガイドレール
２１…引戸
３０…補助機構
３３…ウェイト
３５…うず巻きばね
【図１】
0004224839.tif 000002
【図２】
0004224839.tif 000003
【図３】
0004224839.tif 000004
【図４】
0004224839.tif 000005
【図５】
0004224839.tif 000006
【図６】
0004224839.tif 000007
【図７】
0004224839.tif 000008
【図８】
0004224839.tif 000009